(57)【要約】  表示品質を落とすことなく消費電力を低減可能な携帯電話端末を提供する。  基準輝度値テーブル（５ａ）に表示画像の階調に応じたバックライト（３）の輝度レベルを基準輝度値として登録し、バックライト輝度設定値テーブル（６ａ）に基準輝度値に対応するＬＥＤドライバ（４）への駆動信号の信号レベルを輝度設定値として登録し、ガンマ補正値テーブル（７ａ）に表示画像の階調に応じた液晶パネルの駆動レベルを補正する値をガンマ補正値として登録する。バックライト輝度設定値テーブル（６ａ）から取得した駆動信号の信号レベルでＬＥＤドライバ（４）を駆動し、かつ、ガンマ補正値テーブル（７ａ）から取得したガンマ補正値で補正した値でＬＣＤドライバ（２）を駆動し、画像を表示する。各テーブルからの取得値は、ユーザ、使用シーン、照度センサ（１１）の検出結果により変更可能である。
2008117784.tif 000002
【特許請求の範囲】
【請求項１】
液晶表示装置に画像を表示する携帯電話端末において、表示対象の画像データの階調に応じて、前記液晶表示装置のバックライトの輝度レベルを基準輝度値としてあらかじめ登録する基準輝度値テーブルと、表示対象の画像データの階調に応じて、前記液晶表示装置の液晶パネルの駆動レベルを補正する値をガンマ補正値としてあらかじめ登録するガンマ補正値テーブルとを備え、入力された画像データの階調に基づいて、前記基準輝度値テーブルに登録されている前記基準輝度値に該当する輝度レベルにバックライトの輝度を設定するとともに、前記ガンマ補正値テーブルに登録されている前記ガンマ補正値に基づいてガンマ補正を施すことを特徴とする携帯電話端末。
【請求項２】
前記基準輝度値テーブルに登録されている前記基準輝度値に対応して、前記液晶表示装置のバックライトを駆動する駆動信号の信号レベルを輝度設定値としてあらかじめ登録するバックライト輝度設定値テーブルを備え、入力された画像データの階調に基づいて選択された前記基準輝度値に該当する前記駆動信号の信号レベルを、前記バックライト輝度定値テーブルを参照して取得することを特徴とする請求項１に記載の携帯電話端末。
【請求項３】
前記液晶表示装置のバックライトを駆動する前記駆動信号が、ＰＷＭ信号であることを特徴とする請求項２に記載の携帯電話端末。
【請求項４】
前記基準輝度値テーブルに登録されている前記基準輝度値および／または前記ガンマ補正値テーブルに登録されている前記ガンマ補正値および／または前記バックライト輝度設定値テーブルに登録されている前記輝度設定値を、ユーザが任意の値に変更して設定することができるユーザ設定手段を備えていることを特徴とする請求項１ないし３のいずれかに記載の携帯電話端末。
【請求項５】
当該携帯電話端末を使用する使用シーンごとに、前記基準輝度値テーブルに登録されている前記基準輝度値および／または前記バックライト輝度設定値テーブルに登録されている前記輝度設定値を個別に有し、前記基準輝度値テーブルの前記基準輝度値および／または前記バックライト輝度設定値テーブルの前記輝度設定値の中から、現在使用する使用シーンに該当する前記基準輝度値および／または前記輝度設定値を選択するために、当該携帯電話端末の現在の使用シーンを自動的に入力する個別設定手段を備えていることを特徴とする請求項１ないし４のいずれかに記載の携帯電話端末。
【請求項６】
前記使用シーンとして、電子メールを送受信するメール送受信シーン、インターネットにアクセスするブラウジングシーン、カメラによる撮影を行うカメラ撮影シーン、テレビ映像を表示するテレビシーン、ゲーム用の映像を表示するゲームシーン、のいずれか１ないし複数を少なくとも含んでいることを特徴とする請求項５に記載の携帯電話端末。
【請求項７】
当該携帯電話端末に入射される外光を検出する照度センサを備え、該照度センサにより検出された検出結果に応じて、表示すべき画像の階調に基づいて前記基準輝度値テーブルから取得された前記基準輝度値および／または前記ガンマ補正値テーブルから取得された前記ガンマ補正値および／または前記バックライト輝度設定値テーブルから取得された前記輝度設定値を、補正することを特徴とする請求項１ないし６のいずれかに記載の携帯電話端末。
【請求項８】
前記基準輝度値テーブルとして代表的な基準輝度値を登録した輝度値用代表テーブルを最低１つ備え、指定した表示階調における輝度レベルとして入力された入力輝度値と前記輝度値用代表テーブルの基準輝度値との演算結果に基づいて、設定すべき基準輝度値を算出することを特徴とする請求項１ないし７のいずれかに記載の携帯電話端末。
【請求項９】
前記ガンマ補正値テーブルとして代表的なガンマ補正値を登録した補正値用代表テーブルを最低１つ備え、指定した表示階調におけるガンマ補正レベルとして入力された入力補正値と前記補正値用代表テーブルのガンマ補正値との演算結果に基づいて、設定すべきガンマ補正値を算出することを特徴とする請求項１ないし８のいずれかに記載の携帯電話端末。
【請求項１０】
液晶表示装置に画像を表示する携帯電話端末における画像表示制御方法において、表示対象の画像データの階調に応じて、前記液晶表示装置のバックライトの輝度レベルを基準輝度値としてあらかじめ登録する基準輝度値テーブルと、表示対象の画像データの階調に応じて、前記液晶表示装置の液晶パネルの駆動レベルを補正する値をガンマ補正値としてあらかじめ登録するガンマ補正値テーブルとを有し、入力された画像データの階調に基づいて、前記基準輝度値テーブルに登録されている前記基準輝度値に該当する輝度レベルにバックライトの輝度を設定するとともに、前記ガンマ補正値テーブルに登録されている前記ガンマ補正値に基づいてガンマ補正を施すことを特徴とする画像表示制御方法。
【請求項１１】
前記基準輝度値テーブルに登録されている前記基準輝度値に対応して、前記液晶表示装置のバックライトを駆動する駆動信号の信号レベルを輝度設定値としてあらかじめ登録するバックライト輝度設定値テーブルを有し、入力された画像の階調に基づいて選択された前記基準輝度値に該当する前記駆動信号の信号レベルを、前記バックライト輝度設定値テーブルを参照して取得することを特徴とする請求項１０に記載の画像表示制御方法。
【請求項１２】
前記基準輝度値テーブルに登録されている前記基準輝度値および／または前記ガンマ補正値テーブルに登録されている前記ガンマ補正値および／または前記バックライト輝度設定値テーブルに登録されている前記輝度設定値を、ユーザが任意の値に変更して設定することができることを特徴とする請求項１０または１１に記載の画像表示制御方法。
【請求項１３】
前記携帯電話端末を使用する使用シーンごとに、前記基準輝度値テーブルに登録されている前記基準輝度値および／または前記バックライト輝度設定値テーブルに登録されている前記輝度設定値を個別に有し、前記基準輝度値テーブルの前記基準輝度値および／または前記バックライト輝度設定値テーブルの前記輝度設定値の中から、現在使用する使用シーンに該当する前記基準輝度値および／または前記輝度設定値を選択するために、当該携帯電話端末の現在の使用シーンを自動的に入力することを特徴とする請求項１０ないし１２のいずれかに記載の画像表示制御方法。
【請求項１４】
前記使用シーンとして、電子メールを送受信するメール送受信シーン、インターネットにアクセスするブラウジングシーン、カメラによる撮影を行うカメラ撮影シーン、テレビ映像を表示するテレビシーン、ゲーム用の映像を表示するゲームシーン、のいずれか１ないし複数を少なくとも含んでいることを特徴とする請求項１３に記載の画像表示制御方法。
【請求項１５】
前記携帯電話端末に入射される外光の検出結果に応じて、表示すべき画像の階調に基づいて前記基準輝度値テーブルから取得された前記基準輝度値および／または前記ガンマ補正値テーブルから取得された前記ガンマ補正値および／または前記バックライト輝度設定値テーブルから取得された前記輝度設定値を、補正することを特徴とする請求項１０ないし１４のいずれかに記載の画像表示制御方法。
【請求項１６】
前記基準輝度値テーブルとして代表的な基準輝度値を登録した輝度値用代表テーブルを最低１つ備え、指定した表示階調における輝度レベルとして入力された入力輝度値と前記輝度値用代表テーブルの基準輝度値との演算結果に基づいて、設定すべき基準輝度値を算出することを特徴とする請求項１０ないし１５のいずれかに記載の画像表示制御方法。
【請求項１７】
前記ガンマ補正値テーブルとして代表的なガンマ補正値を登録した補正値用代表テーブルを最低１つのみ備え、指定した表示階調におけるガンマ補正レベルとして入力された入力補正値と前記補正値用代表テーブルのガンマ補正値との演算結果に基づいて、設定すべきガンマ補正値を算出することを特徴とする請求項１０ないし１６のいずれかに記載の画像表示制御方法。
【請求項１８】
請求項１０ないし１７のいずれかに記載の画像表示制御方法を、コンピュータにより実行可能なプログラムとして実施していることを特徴とする画像表示制御プログラム。
【請求項１９】
請求項１８に記載の画像表示制御プログラムを、コンピュータにより読み取り可能な記録媒体に記録していることを特徴とするプログラム記録媒体。
【発明の詳細な説明】
【技術分野】
【０００１】
本発明は、携帯電話端末、画像表示制御方法、画像表示制御プログラムおよびプログラム記録媒体に関し、特に、表示品質を維持しつつ消費電力の低減が可能な携帯電話端末、画像表示制御方法、画像表示制御プログラムおよびプログラム記録媒体に関する。
【背景技術】
【０００２】
携帯電話端末は、通話だけでなく、メール、カメラ撮影、ブラウジング、ＴＶなどと、携帯電話端末のサービス機能は増加の一途を辿るとともに、携帯電話端末に表示される表示画像も多様化し、携帯電話端末の表示機能に対するユーザのニーズとして、より高品質の表示を要求するようになってきている。【０００３】
一方、サービス機能が多様化していく中、携帯電話端末を使用可能な時間もさらに長くなることが求められており、携帯電話端末の低消費電力化は、競争メーカ各社間の差別化を図る上で必須の要素となっている。特に、液晶バックライトの消費電力は、携帯電話端末全体の消費電力における割合が非常に大きく、液晶バックライトを低消費電力化することによる効果が大きい。特許文献１の特開２００４−１２６４７０号公報では、表示画像に応じて表示バックライトの点灯制御を行うという技術が提案されている。
【特許文献１】特開２００４−１２６４７０号公報（第６−８頁）
【発明の開示】
【発明が解決しようとする課題】
【０００４】
しかしながら、前記特許文献１のような従来の携帯電話端末のバックライトの点灯制御は、表示画像の各色の階調をチェックして、階調数がほぼゼロの場合に、バックライトを非点灯とする制御を行うのみであり、階調数がゼロ近傍になっていない状態では、そのままの輝度で点灯されたままとなり、消費電力の低減効果が少ないという問題がある。【０００５】
また、従来の携帯電話端末のバックライトの輝度値そのものについても、あらかじめ設定されたバックライトの輝度値を使用しており、表示画像の階調に応じて輝度値を制御していないため、消費電力をさらに低減させるためには、バックライトの輝度設定値を、表示画像の階調如何に関わらず、あらかじめ低く設定することしか手段が用意されていなく、表示画像の視認性に影響を与えていた。【０００６】
さらに、照度センサを用いて、携帯電話端末の周囲環境（携帯電話端末に入射されてくる外光の強さ）に応じて、バックライトの輝度制御を行うような技術についても、特定の環境下に限定されており、消費電力の低減効果として如何なる環境条件下においても十分に満足できるというものは存在していなかった。【０００７】
本発明は、かかる事情に鑑みてなされたものであり、表示する画像に応じたバックライト輝度制御、および、液晶表示装置（ＬＣＤ）のガンマ特性制御を行うことによって、表示品質を落とすことなく、消費電力を低減させることが可能な携帯電話端末、画像表示制御方法、画像表示制御プログラムおよびプログラム記録媒体を提供することを、その目的としている。
【課題を解決するための手段】
【０００８】
前述の課題を解決するため、本発明による携帯電話端末、画像表示制御方法、画像表示制御プログラムおよびプログラム記録媒体は、次のような特徴的な構成を採用している。【０００９】
（１）液晶表示装置に画像を表示する携帯電話端末において、表示対象の画像データの階調に応じて、前記液晶表示装置のバックライトの輝度レベルを基準輝度値としてあらかじめ登録する基準輝度値テーブルと、表示対象の画像データの階調に応じて、前記液晶表示装置の液晶パネルの駆動レベルを補正する値をガンマ補正値としてあらかじめ登録するガンマ補正値テーブルとを備え、入力された画像データの階調に基づいて、前記基準輝度値テーブルに登録されている前記基準輝度値に該当する輝度レベルにバックライトの輝度を設定するとともに、前記ガンマ補正値テーブルに登録されている前記ガンマ補正値に基づいてガンマ補正を施す携帯電話端末。
【発明の効果】
【００１０】
本発明の携帯電話端末、画像表示制御方法、画像表示制御プログラムおよびプログラム記録媒体によれば、以下のような効果を得ることができる。 【００１１】
第１の効果は、表示する画像に応じたバックライト輝度制御、および、ＬＣＤのガンマ特性制御を行うことによって、表示品質を落とすことなく、消費電力を低減させることが可能になることである。【００１２】
第２の効果は、ユーザによる任意の輝度レベルへの設定、あるいは、使用シーン（メール送受信シーン、ブラウジングシーン、カメラ撮影シーン、テレビシーン、ゲームシーンなど）それぞれに対応する個別の輝度レベルへの設定、あるいは、照度センサの検出結果による外光レベルに応じた輝度レベルへの設定、のいずれにも対応するバックライト輝度設定制御を行うことが可能になることである。【００１３】
第３の効果は、ユーザの設定値や使用シーンによる設定値や照度による設定値と代表値とを演算することにより各表示階調において設定すべき基準輝度値、ガンマ補正値を求めることができるので、基準輝度値、ガンマ補正値を表示階調ごとに登録するテーブルを、ユーザの設定値や使用シーンごとの設定値や照度ごとの設定値として複数準備することが不要となり、テーブルを記憶する領域を削減することができる。
【発明を実施するための最良の形態】
【００１４】
以下、本発明による携帯電話端末、画像表示制御方法、画像表示制御プログラムおよびプログラム記録媒体の好適な実施例について添付図を参照して説明する。なお、本発明は、以下に説明するような処理をコンピュータに実行させるためのプログラムやそれを格納した記憶媒体を包含することは言うまでもない。【００１５】
（本発明の特徴）
本発明の実施例の説明に先立って、本発明の特徴について、まず、その概要を説明する。本発明は、携帯電話端末の表示機能に関するものであり、基準となるバックライト輝度の設定値について、表示する画像に応じたバックライト輝度制御、および、液晶表示装置（ＬＣＤ）のガンマ特性制御を行うことによって、表示品質を落とすことなく、消費電力を低減させることを可能としている。【００１６】
つまり、本発明は、画面に表示する画像データの階調特性に対応するバックライトの輝度レベルをあらかじめ基準輝度値として登録した基準輝度値テーブルと、該基準輝度値をバックライトに設定するための駆動信号を輝度設定値としてあらかじめ登録したバックライト輝度設定値テーブルとを備え、入力されてくる画像データの階調に応じて、基準輝度値テーブルを参照して、該画像データの階調に対応するバックライトの基準輝度値を求め、求めたバックライトの基準輝度値を基にして、バックライト輝度設定値テーブルを参照して、バックライトを駆動する駆動信号の信号レベル（ＰＷＭ駆動信号の場合は、パルス幅）を取得して、バックライトの輝度レベルを表示画像に応じた適切な状態で点灯させることを可能としている。【００１７】
また、画面に表示する画像データの階調特性に応じて、液晶表示装置（ＬＣＤ）の液晶パネルを駆動する駆動レベルを補正するガンマ補正値をあらかじめ登録したガンマ補正値テーブルを備え、入力されてくる画像データの階調に応じて、画像を表示する液晶画面のガンマ特性を制御することによって、表示画像の色調を高品質に維持させるように表示デバイス（ＬＣＤ）を駆動することを可能としている。【００１８】
さらには、本発明は、基準輝度値テーブルに登録する基準輝度値（バックライト輝度値）を、画面に表示される使用シーン（例えば、電子メールを送受信するメール送受信シーン、インターネットにアクセスするブラウジングシーン、カメラによる撮影を行うカメラ撮影シーン、テレビ映像を表示するテレビシーン、ゲーム用の映像を表示するゲームシーンなど）ごとに、異なる値に設定登録することを可能とするとともに、携帯電話端末にて実行可能なアプリケーションの追加削除に応じて該使用シーンの追加変更も随時可能としている。また、基準輝度値テーブルやバックライト輝度設定値テーブルやガンマ補正値テーブルに登録されている各設定値を、ユーザにより好みの値に任意に設定変更することを可能としている。さらには、基準輝度値テーブルを参照してバックライト輝度設定値を出力する際に、また、ガンマ補正値テーブルを参照してガンマ補正値を出力する際に、携帯電話端末の周囲環境（外光）を照度センサにより検出した結果に基づいてバックライト輝
度設定値やガンマ補正値をさらに補正することも可能としている。【００１９】
（実施例の構成）
図１は、本発明の携帯電話端末のブロック構成の一例を示すブロック構成図であり、通常の無線通信機能を司る回路ブロックは省略して、表示機能を司る回路ブロックのみを抽出して示している。図１に示す本発明の一例を示す携帯電話端末の表示機能部分は、ＬＣＤ１、ＬＣＤドライバ２、バックライト３、ＬＥＤドライバ４、基準輝度設定部５、輝度制御部６、画像制御部７、画像データ入力部８、ユーザ設定部９、個別設定部１０、照度センサ１１、および、ＣＰＵ１２、を少なくとも含んで構成されている。【００２０】
ＬＣＤ１は、画像を画面表示する表示デバイスであり、ＬＣＤドライバ２は、ＬＣＤ１を駆動して画像を画面表示するものである。また、バックライト３は、ＬＣＤ１の背面にあって、背景光を出力するＬＥＤを有する発光デバイスであり、ＬＥＤドライバ４は、バックライト３のＬＥＤを駆動するものである。【００２１】
基準輝度設定部５は、ＣＰＵ１２を介して入力されてくる画像データに応じてバックライト３の基準輝度値を算出して設定するための制御部であり、輝度制御部６は、基準輝度設定部５からの指示に応じてバックライト３の輝度を制御する制御部である。また、画像制御部７は、ＣＰＵ１２を介して入力されてくる画像データに応じてＬＣＤ１に画面表示する表示画像の制御を行う制御部である。また、ＣＰＵ１２は、携帯電話端末全体の動作を制御する制御部である。【００２２】
画像データ入力部８は、ＬＣＤ１に画面表示する画像データを受け取って、ＣＰＵ１２に入力する入力部である。また、ユーザ設定部９は、ＬＣＤ１へ画面表示する際の画像データの制御値やバックライト３の輝度値を設定するためにユーザが指定した値をＣＰＵ１２に入力する入力部であり、個別設定部１０は、使用シーン（メール送受信シーン、ブラウジングシーンなど）に応じて個別にバックライト３の輝度値を設定指示するために、使用シーンごとに個別に指定したシーン種別をＣＰＵ１２に入力する入力部である。照度センサ１１は、携帯電話端末周囲から入射されてくる外光を検出して、ＣＰＵ１２に入力するセンサである。ここで、ユーザ設定部９、個別設定部１０においては、携帯電話端末にあらかじめ登録されている画像データの制御値やバックライト３の輝度値を、ユーザの好みに応じて、あるいは、使用するアプリケーション（シーン）に応じて、変更・追加・削除することも可能である。【００２３】
なお、基準輝度設定部５、輝度制御部６、画像制御部７は、それぞれ、図１に示すように、独立に構成するようにしても良いが、携帯電話端末全体の制御を司るＣＰＵ１２、ＬＥＤドライバ４、ＬＣＤドライバ２、のいずれかかに含まれて備えられるようにしても良い。さらには、基準輝度設定部５、輝度制御部６、画像制御部７それぞれについて、１ないし複数の機能を、プログラムとして実現しても良い。【００２４】
同様に、画像データ入力部８、ユーザ設定部９、個別設定部１０についても、それぞれ、図１に示すように、独立に構成するようにしても良いが、一つの入力部にまとめて構成しても良いし、ＣＰＵ１２に含めて構成しても良い。【００２５】
基準輝度設定部５には、画面に表示する画像データの階調特性に対応するバックライト輝度値をあらかじめ基準輝度値として登録した基準輝度値テーブル５ａが備えられており、画像データ入力部８から入力されてくる画像データの階調に応じて、基準輝度値テーブル５ａを参照して、該画像データの階調に対応するバックライト３の基準輝度値を求め、輝度制御部６に対して出力する。【００２６】
この基準輝度値テーブル５ａは、バックライト３の基準輝度値を、画面に表示される使用シーン（例えば、メール送受信シーン、ブラウジングシーン、カメラ撮影シーン、テレビシーン、ゲームシーンなど）ごとに、異なる値に設定登録することが可能な構成とされており、携帯電話端末にて実行可能なアプリケーションの追加削除に応じて、対応する使用シーンごとのバックライト３の基準輝度値を入力することによって、追加変更することも随時可能としている。あるいは、基準輝度値テーブル５ａのバックライト３の基準輝度値を、ユーザ設定部９からユーザの好みの値に任意に設定変更することも可能としている。【００２７】
さらには、基準輝度設定部５は、基準輝度値テーブル５ａを参照してバックライト３の基準輝度値を輝度制御部６に対して出力する際に、携帯電話端末の周囲環境（外光）を照度センサ１１により検出した結果に基づいて、基準輝度値テーブル５ａを参照して求めたバックライト３の基準輝度値を、さらに補正して、輝度制御部６に対して出力することも可能としている。なお、基準輝度設定部５側では、照度センサ１１による検出結果による補正を行わずに、基準輝度値テーブル５ａを参照して求めたバックライト３の基準輝度値をそのまま出力し、バックライト３の基準輝度値を受け取った輝度制御部６側にて、照度センサ１１による検出結果による補正を行うようにしても良い。【００２８】
また、輝度制御部６には、基準輝度設定部５から入力されてくるバックライト３の基準輝度値をバックライト３に設定するための駆動信号の信号レベル（ＰＷＭ制御の場合はパルス幅）をバックライト３の輝度設定値としてあらかじめ登録したバックライト輝度設定値テーブル６ａが備えられており、基準輝度設定部５から入力されてくるバックライト３の基準輝度値を基にして、バックライト輝度設定値テーブル６ａを参照して、バックライト３を駆動する駆動信号の信号レベルを取得して、ＬＥＤドライバ４に出力することによって、バックライト３の輝度レベルを表示画像に応じた適切な状態で点灯させるように制御している。なお、バックライト輝度設定値テーブル６ａの駆動信号の信号レベルについても、場合によっては、ユーザ設定部９からユーザの好みの値に任意に設定変更することを可能としても良い。【００２９】
さらには、輝度制御部６は、バックライト輝度設定値テーブル６ａを参照してバックライト３を駆動する駆動信号の信号レベルをＬＥＤドライバ４に対して出力する際に、携帯電話端末の周囲環境（外光）を照度センサ１１により検出した結果に基づいて、バックライト輝度設定値テーブル６ａを参照して求めた駆動信号の信号レベルを、さらに補正して、ＬＥＤドライバ４に対して出力することも可能としている。あるいは、基準輝度設定部５からのバックライト３の基準輝度値を照度センサ１１により検出した結果に基づいて補正した後、バックライト輝度設定値テーブル６ａを参照して、バックライト３を駆動する駆動信号の信号レベルを取得するようにしても良い。【００３０】
また、画像制御部７には、画面に表示する画像データの階調特性とＬＣＤ１の液晶パネルを駆動する駆動レベルを補正する値との対応関係をガンマ補正値としてあらかじめ登録したガンマ補正値テーブル７ａが備えられており、非線形の液晶パネルの電圧−透過率特性に応じて、原画像を正しい色調でＬＣＤ１に画面表示するように制御する。【００３１】
つまり、画像データ入力部８から入力されてくる画像データの階調に応じて、ガンマ補正値テーブル７ａを参照してガンマ補正値を取得して、画像を表示する液晶画面のガンマ特性を制御することによって、表示画像の色調を高品質に維持させるように、ＬＣＤドライバ２がＬＣＤ１を駆動する駆動信号を制御している。このガンマ補正値テーブル７ａのガンマ補正値は、ユーザ設定部９からユーザの好みの値に任意に設定変更することも可能としている。さらに、ガンマ補正値テーブル７ａのガンマ補正値を、携帯電話端末に入射される外光を検出する照度センサ１１による検出結果により、補正を行うようにしても良い。【００３２】
（実施例の動作の説明）
本発明の一例である図１の携帯電話端末のＬＣＤ１に画像を画面表示させるまでの手順として、バックライト３の輝度レベルの設定、画像データの入力から、基準輝度値の設定、画像制御、輝度制御を経て、バックライト３の輝度の設定、ＬＣＤ１への画面表示に至るまでの流れについて、以下に順を追って説明する。【００３３】
バックライト３の輝度レベルは、ユーザによりユーザ設定部９から設定するか、携帯電話端末を使用するシーンつまり使用シーン（例えば、メール送受信シーン、ブラウジングシーン、カメラ撮影シーンなど）に応じて個別設定部１０から個別に設定するか、あるいは、照度センサ１１により外光の照度を検知して自動的に設定するかのうち、いずれか１ないし複数の組み合わせによって設定される。【００３４】
つまり、ユーザは、ユーザ設定部９から入力することにより、ユーザの好みに応じて、表示画像の階調レベルに対応してマニュアルで任意に選択した輝度値にバックライト３の輝度レベルを設定することができる。なお、基準輝度値テーブル５ａやバックライト輝度設定値テーブル６ａには、デフォルト値として標準設定値があらかじめ登録されており、ユーザは、基準輝度値テーブル５ａやバックライト輝度設定値テーブル６ａの登録内容を、ユーザ設定部９から変更の指示を行うことも可能である。【００３５】
また、基準輝度値テーブル５ａやバックライト輝度設定値テーブル６ａには、例えばメニュー画面、メール画面、ブラウジング画面、カメラ画面などの使用シーンごとに表示画像の階調レベルに対応してバックライト３の輝度レベルがあらかじめ登録されており、使用シーンによる個別設定は、個別設定部１０から使用シーンが入力されることにより、該当する使用シーンに応じた輝度レベルに自動的に設定することができる。【００３６】
また、照度センサ１１による自動設定は、周囲環境の明るさに応じた照度センサ１１からの出力に応じて、自動的に、バックライト３の輝度レベルが算出され、算出された輝度レベルに設定することができる。さらに、基準輝度値テーブル５ａやバックライト輝度設定値テーブル６ａに基づいて出力されてくる輝度レベルを、照度センサ１１の出力に応じて自動的に補正することができる。【００３７】
また、ユーザは、ＬＣＤ１の電圧−透過率特性を表示画像の階調に応じて補正するために用いられるガンマ補正値を、ユーザの好みの値に任意に設定変更することも可能としている。つまり、ガンマ補正値テーブル７ａのガンマ補正値をユーザ設定部９から任意の値に設定変更することができる。さらに、照度センサ１１からの外光の検出結果によっても、ガンマ補正値テーブル７ａのガンマ補正値をさらに補正することができる。【００３８】
しかる後、画像データ入力部８から画像データが入力されてくると、ＣＰＵ１２は、基準輝度設定部５、画像制御部７に対して、それぞれ、画像データを引き継ぐ。基準輝度設定部５においては、ユーザ設定部９によるバックライト輝度設定値、個別設定部１０によるバックライト輝度設定値のいずれか、あるいは、照度センサ１１による自動設定のいずれか１ないし複数が選択されるとともに、入力されてきた画像データの階調に応じて、基準輝度値テーブル５ａに設定されているバックライト３の基準輝度値が読み出されて、照度センサ１１が検出した外光による補正が必要であれば、外光の強さに応じた補正が施されて、輝度制御部６に対して出力される。【００３９】
輝度制御部６では、基準輝度設定部５からの基準輝度値に基づいて、バックライト輝度設定値テーブル６ａを参照して、バックライト３を駆動するための駆動信号の信号レベル（ＰＷＭ信号の場合にはパルス幅）を取得して、ＬＥＤドライバ４に出力することにより、ＬＥＤドライバ４によりバックライト３のＬＥＤを駆動する。この結果、バックライト３を、ユーザの好みや使用シーンや周囲環境に対応して、表示画像の階調に応じた輝度レベルに設定することができる。【００４０】
一方、入力されてくる画像データは、画像制御部７にて、あらかじめ設定していた画像データの階調特性に対するガンマ補正値をガンマ補正値テーブル７ａから取得して、バックライト３の輝度レベルと画像データの階調とに適合したガンマ補正値で液晶パネルの駆動レベルを補正することにより、表示画像として視認性に富む最適化された状態で、ＬＣＤドライバ２により駆動されて、ＬＣＤ１に画面表示される。【００４１】
かくのごとき表示制御を行うことによって、表示画像の階調に応じて、基準となるバックライト３の輝度レベルを最適な状態に設定するとともに、画像データに対するガンマ補正制御を行うことができ、表示画像の品質を低下させることなく、消費電力の低減を図ることができる。さらには、バックライト３の輝度レベルを、ユーザの好みや、使用シーンに応じて、適切な状態に設定したり、携帯電話端末の周囲環境に応じて補正したりすることが可能であり、携帯電話端末のユーザに対して、視認性に富む画像を、低消費電力で提供することが可能となる。【００４２】
（他の実施例）
前述した実施例においては、表示対象の画像データの階調に応じて、液晶表示装置のバックライト３の輝度レベルを、基準輝度設定部５において、基準輝度値として、基準輝度値テーブル５ａにあらかじめ登録、設定するとともに、表示対象の画像データの階調に応じて、液晶パネルの駆動レベルを補正する値を、画像制御部７において、ガンマ補正値として、ガンマ補正値テーブル７ａにあらかじめ登録、設定する例を説明した。また、基準輝度値に対して、バックライト３を駆動する駆動信号の信号レベルを、輝度制御部６において、輝度設定値として、バックライト輝度設定値テーブル６ａとして登録、設定する例について説明した。【００４３】
ここで、基準輝度値を登録する基準輝度値テーブル５ａ、ガンマ補正値を登録するガンマ補正値テーブル７ａ、輝度設定値を登録するバックライト輝度設定値テーブル６ａとしては、ユーザが任意に設定するユーザ設定値、携帯電話端末を使用する使用シーンごとに設定する使用シーン別設定値、携帯電話端末に入射される外光を検出する照度センサの検出値に応じた照度別設定値に対して、それぞれの設定ごとに異なる設定用テーブルを設けることによって最適化している例を示している。【００４４】
これに対して、本実施例は、基準輝度値テーブル５ａ、ガンマ補正値テーブル７ａ、バックライト輝度設定値テーブル６ａとしては、それぞれ、代表とする代表テーブル最低１つを用意して、ユーザ設定値、使用シーン別設定値、照度別設定値を、該代表テーブルとの演算結果により算出して、それぞれに設定する例を説明するものである。例えば、基準輝度値を設定する場合を例にとって、図２を用いて次に説明する。図２は、本発明による携帯電話端末の基準輝度設定部５における前述の実施例とは異なる他の動作を説明するための模式図である。【００４５】
図２（Ａ）には、指定した表示階調２０における輝度レベル（入力輝度値２１）を入力する状態を、図２（Ｂ）には、輝度値用代表テーブルとして用意されている、代表輝度値２２があらかじめ登録されている基準輝度値テーブル５ａを参照する状態を、図２（Ｃ）には、入力された入力輝度値２１と代表輝度値２２との演算結果から基準輝度値（設定基準輝度値２３）を設定する状態を、それぞれ示している。ここで、入力輝度値２１は、ユーザからユーザ設定部９により入力されたユーザ指定の基準輝度値、使用シーン別に個別設定部１０において設定される基準輝度値、照度センサ１１にて検出された検出照度に応じて設定される基準輝度値のいずれかが、ＣＰＵ１２に入力されて、ＣＰＵ１２から基準輝度設定部５に入力されるものである。【００４６】
図２に示すように、本実施例における基準輝度設定部５においては、ＣＰＵ１２から表示階調２０における入力輝度値２１として入力されてくると（ステップＳ１）、代表テーブルとして代表輝度値があらかじめ登録されている基準輝度値テーブル５ａから、指定された表示階調２０における代表輝度値２２を参照して（ステップＳ２）、指定された表示階調２０における入力輝度値２１と代表輝度値２２との演算処理を行い、該演算結果に基づいて、図２（Ｃ）に示すように、基準輝度値テーブル５ａの各表示階調の代表輝度値を補正して、基準輝度値を設定する（ステップＳ３）。【００４７】
つまり、外部から指定された入力輝度値２１と、代表輝度値２２としてあらかじめ登録されている画像データの表示階調に応じた液晶表示装置のバックライト３の輝度レベルに対応する基準輝度値テーブル５ａの登録データとを演算処理し、基準輝度値として設定する動作を行う。なお、ステップＳ３における入力輝度値２１と基準輝度値テーブル５ａの登録データとの演算処理としては、入力輝度値２１に対応する表示階調２０における代表輝度値２２の比を算出して、基準輝度値テーブル５ａの各表示階調における代表輝度値に単純に掛け合わせる演算処理を行うことにより、設定すべき基準輝度値を算出すれば良いが、入力輝度値２１に対して基準輝度値テーブル５ａの各表示階調における代表輝度値の何らかの重み付けを付ける演算処理であっても良い。【００４８】
この基準輝度値の設定結果に基づいて、輝度制御部６では、バックライト輝度設定値テーブル６ａを参照して、バックライト３を駆動するための駆動信号の信号レベルを取得して、ＬＥＤドライバ４に出力することにより、ＬＥＤドライバ４によりバックライト３のＬＥＤを駆動する。この結果、バックライト３を、ユーザの好みや使用シーンや周囲環境に対応して、表示画像の階調に応じた輝度レベルに設定することができる。【００４９】
つまり、基準輝度値テーブル５ａとして、ユーザ設定値、使用シーンごとの設定値、照度センサ１１の検出結果による設定値に対して、それぞれの設定ごとに、テーブルを設ける必要はなく、代表とする輝度値用代表テーブルを最低１つだけ準備し、該輝度値用代表テーブルに登録されている代表輝度値に対して、ユーザ設定値、使用シーンごとの設定値、照度センサ１１の検出結果による設定値のいずれかから指定される入力輝度値２１との演算処理を行うことにより、表示画像の階調に応じた最適の輝度レベルに設定することができる。その結果、本実施例においては、本発明では、代表とする最低１つだけの基準輝度値テーブル５ａのみを準備するだけであり、基準輝度値テーブルを格納するために必要とする記憶領域を削減することができるという効果が得られる。【００５０】
図２においては、基準輝度値を登録する基準輝度値テーブル５ａを例にとって説明したが、ガンマ補正値を登録するガンマ補正値テーブル７ａについて、あるいは、場合によっては、バックライト３を駆動する駆動信号の信号レベルを輝度設定値として登録するバックライト輝度設定値テーブル６ａについても、全く同様であり、それぞれ、代表とする代表テーブルを最低１つだけ準備するようにしても良い。【００５１】
以上に説明したように、本実施例においては、以下に記載するような効果を奏する。【００５２】
第１の効果は、表示する画像に応じたバックライト輝度制御、および、ＬＣＤのガンマ特性制御を行うことによって、表示品質を落とすことなく、消費電力を低減させることが可能になることである。【００５３】
第２の効果は、ユーザによる任意の輝度レベルへの設定、あるいは、使用シーン（メール送受信シーン、ブラウジングシーン、カメラ撮影シーンなど）それぞれに対応する個別の輝度レベルへの設定、あるいは、照度センサ１１の検出結果による外光レベルに応じた輝度レベルへの設定、のいずれにも対応するバックライト輝度設定制御を行うことが可能になることである。【００５４】
第３の効果は、ユーザの設定値や使用シーンによる設定値や照度による設定値と代表値とを演算することにより各表示階調において設定すべき基準輝度値、ガンマ補正値を求めることができるので、基準輝度値、ガンマ補正値を表示階調ごとに登録するテーブルを、ユーザの設定値や使用シーンごとの設定値や照度ごとの設定値として複数準備することが不要となり、テーブルを記憶する領域を削減することができる。【００５５】
つまり、各実施例においては、表示画像の階調に応じて、画面表示する画像データを補正するとともに、バックライト３の輝度レベルも補正することによって、バックライトの消費電力を最適化する効果が得られる。また、ユーザによる設定、使用シーン別の個別設定、外光による自動補正など、１ないし複数組み合わせて、バックライト３の輝度設定を行うこともできる。さらに、各実施例においては、動画や静止画を問わず、如何なる表示内容に対しても、画像データからバックライト３の輝度レベルを補正するとともに、ＬＣＤ１への画像補正も同時に行うことにより、表示品質を維持しつつ、消費電力を低減させることが可能である。【００５６】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて次のような構成として表現できる。
（２）前記基準輝度値テーブルに登録されている前記基準輝度値に対応して、前記液晶表示装置のバックライトを駆動する駆動信号の信号レベルを輝度設定値としてあらかじめ登録するバックライト輝度設定値テーブルを備え、入力された画像データの階調に基づいて選択された前記基準輝度値に該当する前記駆動信号の信号レベルを、前記バックライト輝度設定値テーブルを参照して取得する上記（１）の携帯電話端末。
（３）前記液晶表示装置のバックライトを駆動する前記駆動信号が、ＰＷＭ信号である上記（２）の携帯電話端末。
（４）前記基準輝度値テーブルに登録されている前記基準輝度値および／または前記ガンマ補正値テーブルに登録されている前記ガンマ補正値および／または前記バックライト輝度設定値テーブルに登録されている前記輝度設定値を、ユーザが任意の値に変更して設定することができるユーザ設定手段を備えている上記（１）ないし（３）のいずれかの携帯電話端末。
（５）当該携帯電話端末を使用する使用シーンごとに、前記基準輝度値テーブルに登録されている前記基準輝度値および／または前記バックライト輝度設定値テーブルに登録されている前記輝度設定値を個別に有し、前記基準輝度値テーブルの前記基準輝度値および／または前記バックライト輝度設定値テーブルの前記輝度設定値の中から、現在使用する使用シーンに該当する前記基準輝度値および／または前記輝度設定値を選択するために、当該携帯電話端末の現在の使用シーンを自動的に入力する個別設定手段を備えている上記（１）ないし（４）のいずれかの携帯電話端末。
（６）前記使用シーンとして、電子メールを送受信するメール送受信シーン、インターネットにアクセスするブラウジングシーン、カメラによる撮影を行うカメラ撮影シーン、テレビ映像を表示するテレビシーン、ゲーム用の映像を表示するゲームシーン、のいずれか１ないし複数を少なくとも含んでいる上記（５）の携帯電話端末。
（７）当該携帯電話端末に入射される外光を検出する照度センサを備え、該照度センサにより検出された検出結果に応じて、表示すべき画像の階調に基づいて前記基準輝度値テーブルから取得された前記基準輝度値および／または前記ガンマ補正値テーブルから取得された前記ガンマ補正値および／または前記バックライト輝度設定値テーブルから取得された前記輝度設定値を、補正する上記（１）ないし（６）のいずれかの携帯電話端末。
（８）前記基準輝度値テーブルとして代表的な基準輝度値を登録した輝度値用代表テーブルを最低１つ備え、指定した表示階調における輝度レベルとして入力された入力輝度値と前記輝度値用代表テーブルの基準輝度値との演算結果に基づいて、設定すべき基準輝度値を算出する上記（１）ないし（７）のいずれかの携帯電話端末。
（９）前記ガンマ補正値テーブルとして代表的なガンマ補正値を登録した補正値用代表テーブルを最低１つ備え、指定した表示階調におけるガンマ補正レベルとして入力された入力補正値と前記補正値用代表テーブルのガンマ補正値との演算結果に基づいて、設定すべきガンマ補正値を算出する上記（１）ないし（８）のいずれかの携帯電話端末。
（１０）液晶表示装置に画像を表示する携帯電話端末における画像表示制御方法において、表示対象の画像データの階調に応じて、前記液晶表示装置のバックライトの輝度レベルを基準輝度値としてあらかじめ登録する基準輝度値テーブルと、表示対象の画像データの階調に応じて、前記液晶表示装置の液晶パネルの駆動レベルを補正する値をガンマ補正値としてあらかじめ登録するガンマ補正値テーブルとを有し、入力された画像データの階調に基づいて、前記基準輝度値テーブルに登録されている前記基準輝度値に該当する輝度レベルにバックライトの輝度を設定するとともに、前記ガンマ補正値テーブルに登録されている前記ガンマ補正値に基づいてガンマ補正を施する画像表示制御方法。
（１１）前記基準輝度値テーブルに登録されている前記基準輝度値に対応して、前記液晶表示装置のバックライトを駆動する駆動信号の信号レベルを輝度設定値としてあらかじめ登録するバックライト輝度設定値テーブルを有し、入力された画像の階調に基づいて選択された前記基準輝度値に該当する前記駆動信号の信号レベルを、前記バックライト輝度設定値テーブルを参照して取得する上記（１０）の画像表示制御方法。
（１２）前記基準輝度値テーブルに登録されている前記基準輝度値および／または前記ガンマ補正値テーブルに登録されている前記ガンマ補正値および／または前記バックライト輝度設定値テーブルに登録されている前記輝度設定値を、ユーザが任意の値に変更して設定することができる上記（１０）または（１１）の画像表示制御方法。
（１３）前記携帯電話端末を使用する使用シーンごとに、前記基準輝度値テーブルに登録されている前記基準輝度値および／または前記バックライト輝度設定値テーブルに登録されている前記輝度設定値を個別に有し、前記基準輝度値テーブルの前記基準輝度値および／または前記バックライト輝度設定値テーブルの前記輝度設定値の中から、現在使用する使用シーンに該当する前記基準輝度値および／または前記輝度設定値を選択するために、当該携帯電話端末の現在の使用シーンを自動的に入力する上記（１０）ないし（１２）のいずれかの画像表示制御方法。
（１４）前記使用シーンとして、電子メールを送受信するメール送受信シーン、インターネットにアクセスするブラウジングシーン、カメラによる撮影を行うカメラ撮影シーン、テレビ映像を表示するテレビシーン、ゲーム用の映像を表示するゲームシーン、のいずれか１ないし複数を少なくとも含んでいる上記（１３）の画像表示制御方法。
（１５）前記携帯電話端末に入射される外光の検出結果に応じて、表示すべき画像の階調に基づいて前記基準輝度値テーブルから取得された前記基準輝度値および／または前記ガンマ補正値テーブルから取得された前記ガンマ補正値および／または前記バックライト輝度設定値テーブルから取得された前記輝度設定値を、補正する上記（１０）ないし（１４）のいずれかの画像表示制御方法。
（１６）前記基準輝度値テーブルとして代表的な基準輝度値を登録した輝度値用代表テーブルを最低１つ備え、指定した表示階調における輝度レベルとして入力された入力輝度値と前記輝度値用代表テーブルの基準輝度値との演算結果に基づいて、設定すべき基準輝度値を算出する上記（１０）ないし（１５）のいずれかの画像表示制御方法。
（１７）前記ガンマ補正値テーブルとして代表的なガンマ補正値を登録した補正値用代表テーブルを最低１つのみ備え、指定した表示階調におけるガンマ補正レベルとして入力された入力補正値と前記補正値用代表テーブルのガンマ補正値との演算結果に基づいて、設定すべきガンマ補正値を算出する上記（１０）ないし（１６）のいずれかの画像表示制御方法。
（１８）上記（１０）ないし（１７）のいずれかの画像表示制御方法を、コンピュータにより実行可能なプログラムとして実施している画像表示制御プログラム。
（１９）上記（１８）の画像表示制御プログラムを、コンピュータにより読み取り可能な記録媒体に記録しているプログラム記録媒体。【００５７】
この出願は、２００７年３月２６日に出願された日本出願特願２００７−０７８２７１および２００７年１０月２４日に出願された日本出願特願２００７−２７６１３３を基礎とする優先権を主張し、その開示の全てをここに取り込む。
【図面の簡単な説明】
【００５８】
【図１】本発明の携帯電話端末のブロック構成の一例を示すブロック構成図である。
【図２】本発明による携帯電話端末の基準輝度設定部における前述の実施例とは異なる他の動作を説明するための模式図である。
【符号の説明】
【００５９】
１      ＬＣＤ
２      ＬＣＤドライバ
３      バックライト
４      ＬＥＤドライバ
５      基準輝度設定部
５ａ    基準輝度値テーブル
６      輝度制御部
６ａ    バックライト輝度設定値テーブル
７      画像制御部
７ａ    ガンマ補正値テーブル
８      画像データ入力部
９      ユーザ設定部
１０    個別設定部
１１    照度センサ
１２    ＣＰＵ
２０    表示階調
２１    入力輝度値
２２    代表輝度値
２３    設定基準輝度値
【図１】
2008117784.tif 000003
【図２】
2008117784.tif 000004
【国際調査報告】
2008117784.tif 000005
2008117784.tif 000006
2008117784.tif 000007
2008117784.tif 000008